(57)【特許請求の範囲】
【請求項１】
撮像手段と、該撮像手段により形成された複数の色信号の利得を調整することによりホワイトバランスを調整するホワイトバランス調整手段と、色信号を補正する色補正手段とを有するカラー撮像装置において、前記ホワイトバランス調整手段によるホワイトバランス調整前又は調整後の一つの色信号のレベル及び前記色補正手段の色補正係数に応じて、前記ホワイトバランス調整手段によるホワイトバランス調整後の他の色信号のクリップレベルを設定するクリップレベル設定手段と、該クリップレベル設定手段で設定されたクリップレベルでホワイトバランス調整後の他の色信号のクリップ処理を行うクリップ手段とを備えていることを特徴とするカラー撮像装置。
【発明の詳細な説明】
【０００１】
【発明の属する技術分野】
この発明は、カラー撮像装置、特に固体撮像素子等によって撮影された画像を電子的に記録する電子的カラー撮像装置に関する。
【０００２】
【従来の技術】
近年、撮影レンズ等の撮影光学系によって光学的に撮影された被写体像を撮像素子等の撮像手段によって光電変換し、この光電変換された電気信号としての画像信号を電子的に記録するようにした電子カメラ等の電子的撮像装置（以下、電子カメラという）が広く普及している。
【０００３】
従来、かかる電子カメラにおいては、例えばＡＧＣ（オートゲインコントロール）回路を設け、ＣＣＤにより光電変換されて出力される画像信号の出力レベルを調整したり、ＡＷＢ（オートホワイトバランス）回路等を設けて色バランスの補正処理、色再現性を改善するための色補正処理、カメラの撮像特性を負の分光特性を有する理想撮像特性に近付けるためのマスキング処理、輪郭信号（エッジ信号）出力のノイズ成分を抑圧してＳ／Ｎ比を向上させるコアリング処理等の様々な信号処理が行われている。
【０００４】
次に、従来の電子カメラの構成例を図７のブロック構成図に基づいて説明する。この構成例の電子カメラは、撮影レンズやこれを駆動する駆動モータ及び駆動機構等からなる撮影光学系１と、この撮影光学系１により結像される光学的な被写体像を光電変換し、該被写体像の画像信号を生成するＣＣＤ等のカラー固体撮像素子（以下、単にＣＣＤという）２と、このＣＣＤ２の出力信号から画像信号成分を抽出するＣＤＳ回路（相関二重サンプリング回路）３と、このＣＤＳ回路３の出力信号レベルを所定のゲイン値に調整するためのＡＧＣ回路等を含む増幅器４と、この増幅器４から出力されるアナログ信号をデジタル信号に変換するＡ／Ｄ変換器５と、上記ＣＣＤ２の白点キズ等の欠陥等に起因する画像欠陥を補間補正する画素欠陥補正回路６と、上記ＣＣＤ２の白点キズの位置情報等が予め記録されたメモリ等の欠陥補正用ＲＯＭ25と、上記画素欠陥補正回路６によって画像欠陥が補正済みの画像信号をＲ0 信号、Ｇ0 信号、Ｂ0 信号の三原色の各色信号に分離する色分離回路８と、画像信号のホワイトバランスを調整するホワイトバランス調整回路（ＷＢ）27と、色再現性を改善するための色補正を行う色補正回路28と、色信号のガンマ（γ）補正処理を施す色γ補正回路26と、Ｒ，Ｇ，Ｂの各色信号を輝度信号ＹＬと二つの色差信号（Ｒ−Ｙ信号及びＢ−Ｙ信号）に変換して色相や色の飽和度等を調整する色差マトリクス回路10とを備えている。
【０００５】
更に、上記画素欠陥補正回路６から出力される画像信号のγ補正処理を施すγ補正回路26と、このγ補正回路26によりγ補正処理が施された画像信号から輝度信号（Ｙ信号）のみを抽出し生成するＹ信号生成部12と、上記Ｙ信号から低周波成分を除去して輪郭信号（以下、エッジ信号という）を抽出するハイパスフィルタ（ＨＰＦ）部13と、該ＨＰＦ部13により生成されたエッジ信号のノイズ成分を抑圧又は除去し、Ｓ／Ｎ比を改善するコアリング処理を施すコアリング部14と、このコアリング部14によってコアリング処理が施されたＹ信号に対して所定の係数を掛け合わせエッジ強調処理を施すエッジ強調度積算器15と、このエッジ強調度積算器15から出力されるエッジ強調処理済みのＹ信号を上記色差マトリクス回路10から出力される輝度信号ＹＬに加算して、輝度信号ＹＨを出力する加算器11と、画像信号を表示可能な形態に処理する信号処理回路を含む液晶ディスプレイ（ＬＣＤ）19と、画像信号を一時的に記憶するメモリ等からなるＤＲＡＭ16と、画像信号に圧縮処理及び伸長処理を施す圧縮伸長回路17と、画像信号を保存するメモリカード等の記録媒体18と、撮影時にＡＦ動作を開始させると共に、露光動作を開始させるトリガー信号を発生させ得るトリガースイッチ等、複数のスイッチからなる操作部21と、上記ＣＣＤ２の駆動パルス等の同期信号を発生させるタイミングジェネレータ（ＴＧ）23及びシグナルジェネレータ（ＳＧ）24等によって構成されており、そして、上記各構成部材は、ＣＰＵ20に電気的に接続されていて、ＣＰＵ20によって統括的に制御されるようになっている。
【０００６】
次に、このように構成されている電子カメラにおいて、撮影時に行われる動作の概要について説明する。上記ＣＣＤ２によって得られた画像信号は、ＣＤＳ回路３において画像信号成分が抽出され、ＡＭＰ４において出力信号レベルが所定のゲイン値に調整された後、Ａ／Ｄ変換器５においてデジタル信号に変換される。このデジタル信号に変換された画像信号は、画素欠陥補正回路６に入力され、ここで欠陥補正用ＲＯＭ25に予め記録されている白点キズの位置情報等に基づいて欠陥画素の位置が判別され、これに対して所定の補正量による画像欠陥補正処理が施される。
【０００７】
その後、画像信号は上記色分離回路８に出力される主信号と、上記γ補正回路26に出力される副信号とに分岐される。ここで、上記主信号に対しては、上記色分離回路８以降の各回路において、ホワイトバランスの調整や色再現性を改善するための色補正処理等の信号処理が施される。一方、上記副信号に対しては、まず上記γ補正回路26によってγ補正処理が施された後、Ｙ信号生成部12において、輝度信号（Ｙ信号）のみが抽出されて生成される。このＹ信号は上記ＨＰＦ部13に入力され、これを受けてＨＰＦ部13は、上記Ｙ信号からエッジ信号を生成して、これを上記コアリング部14に出力する。このコアリング部14において、上記エッジ信号に対して所定のコアリング処理を施した後、これを上記エッジ強調度積算器15へ出力する。そして、このエッジ強調度積算器15においてエッジ強調処理がなされた後、このエッジ強調処理済みのＹ信号は、上記加算器11において上記主信号の輝度信号ＹＬに加算され、上記ＬＣＤ19に出力されて、画像の再生表示処理がなされる。
【０００８】
【発明が解決しようとする課題】
ところで、このような構成の電子カメラにおいて、高輝度信号が入力された場合、ＣＣＤあるいはＡ／Ｄ変換器の特性により高輝度部分にクリップがかかってしまう。このクリップがかかった映像信号を後段のホワイトバランス調整回路でゲインを調整してホワイトバランス調整を行うと、ゲインを下げられた信号のクリップがかかった高輝度部分の出力が低下し、高輝度領域で各色のバランスがずれてしまう。
【０００９】
すなわち、例えば図８に示すように、Ｇ，Ｂ成分に比べてＲ成分のレベルが高レベルとなる特性をもつＣＣＤあるいは光源で白色の被写体を撮像した場合に、Ｒ0 ，Ｇ0 ，Ｂ0 信号の高輝度領域がＣＣＤの特性あるいはＡ／Ｄ変換器でクリップがかかり、図示のような入出力特性となる。このようにクリップがかかった信号に対して、後段のホワイトバランス調整回路でＲ0 信号のゲインを下げてホワイトバランス調整を行うと、図９に示すように、ＲW 信号のクリップされたレベルが下がり、ＲW 信号のクリップされたレベル以上の高輝度入力のとき、ＧW ，ＢW 信号レベルとＲW 信号レベルとに差が生じ、シアン色の色づき（偽色）が発生する。また、光源によりホワイトバランス調整時におけるゲイン値が変化するため、高輝度部がより着色してしまうことがある。ここで、通常の電子カメラにおいては、Ｇ0 信号を基準にＡＥレベルなどを設定する場合が多いため、Ｒ0 信号のゲインを下げている。
【００１０】
また、通常電子カメラにおいては、上記従来例でみられるように、色補正回路が設けられていて、（３×３）のマトリクス係数を掛け合わせて色再現性をよくする手法がとられている。すなわち、ＲW ，ＧW ，ＢW 信号に対して、次式数１で示すようなマトリクス処理を行い、補正したＲM ，ＧM ，ＢM 信号を形成している。
【００１１】
【数１】
0003943719.tif 000002
【００１２】
ここで、ＲM 信号に注目すると、次式で表される。
ＲM ＝αr ・ＲW ＋βr ・ＧW ＋γr ・ＢW 
通常、ＲW 信号の補正では、Ｒ成分を強調するようにマトリクス係数は、αr ＋βr ＋γr ＝１のとき、αr ＞１，βr ＜０，γr ＜０のように設定される。このようにして補正ＲM 信号を設定された場合、ＲW 信号が図９で示したと同様に高輝度領域でクリップされると、ＲM 信号のβr ・ＧW ，γr ・ＢW 成分が下がるために、マトリクス補正された補正ＲM 信号は、図10に示すような入出力特性となる。
【００１３】
したがって、マトリクス補正を行ったＲM 信号に対してホワイトバランス調整回路を通してゲイン調整によるホワイトバランス調整を行うとすると、図11に示すように高輝度領域においてはＲM 信号とＧW ，ＢW 信号との差が更に大きくなり、色づきが一層大きくなる。
【００１４】
従来、このような問題点を解消するため、例えば特許第２５５７６２０号公報には、図９に示したホワイトバランス調整を施した後の色づき（偽色）の原因となっているＧW ，ＢW 信号に対して、図12に示すようにクリップをかけて、高輝度領域においても、ＲW 信号とＧW ′，ＢW ′信号の差を小さくして、色づきを少なくしてやり、そして、その場合のＧW ，ＢW 信号に対するクリップレベルは被写体の色温度情報により制御してやるようにした手法が開示されている。すなわち、Ｒ信号とＧ，Ｂ信号との差が少ない光源のときは色づき（偽色）の発生は本来少ないから、ＧW ，ＢW 信号に対するクリップレベルは上げてやり、クリップされる信号量を少なくしてダイナミックレンジを損なわないようにし、Ｒ信号とＧ，Ｂ信号との差が大きく色づきが大きい場合には、ＧW ，ＢW 信号に対するクリップレベルを下げて色づきを低減してやる手法である。
【００１５】
しかしながら、上記公報開示の手法においては、次に述べるような問題点がある。すなわち、Ｇ，Ｂ信号に対するクリップレベルを、被写体の色温度に対応させ、Ｇ，Ｂ信号のダイナミックレンジを損なわないように色づきが許容されるレベルに設定した状態において、色マトリクス補正を行うと、図13に示すように、色マトリクス係数により、補正ＲM 信号の出力が低下する領域ａの傾斜が変化し、それにより高輝度領域のＲM 信号とクリップされたＧM ′，ＢM ′信号との差が変化し、色づきが許容される範囲を越えてしまう状態が生じる。色補正マトリクスは、ＣＣＤのカラーフィルタの分光感度のずれや被写体の色温度の変化によって変化させることがあり、一定のものではないので、上記のように予定していたクリップレベルでは、色づきが許容範囲内のものでなくなってしまうことがある。
【００１６】
また、上記公報開示の手法は、ホワイトバランスの係数、すなわち色温度によってＧ，Ｂ信号のクリップレベルを設定するものであるが、もともと色のついていない被写体（白色）を想定してクリップレベルを設定しておいた場合、シアン色の信号、すなわちＲ0 信号レベルが小さくＧ0 ，Ｂ0 信号レベルが大きい信号が入力された場合、Ｇ0 ，Ｂ0 信号にはホワイトレベル調整回路を通ったのち設定されたクリップレベルでクリップがかけられ、クリップがかけられたＧW ′，ＢW ′信号のダイナミックレンジが狭くなり、シアン色が薄くなってしまうという欠点がある。
【００１７】
本発明は、従来の撮像装置における上記問題点を解消するためになされたもので、クリップ手段を設けた場合において、クリップ処理を受ける色信号だけの被写体を撮像する場合においても、ダイナミックレンジが制限されず、また色マトリクス補正が行われても高輝度入力に対する色づき（偽色）が許容範囲からずれることがないようにしたカラー撮像装置を提供することを目的とする。
【００１８】
【課題を解決するための手段】
上記問題点を解決するため、請求項１に係る発明は、撮像手段と、該撮像手段により形成された複数の色信号の利得を調整することによりホワイトバランスを調整するホワイトバランス調整手段と、色信号を補正する色補正手段とを有するカラー撮像装置において、前記ホワイトバランス調整手段によるホワイトバランス調整前又は調整後の一つの色信号のレベル及び前記色補正手段の色補正係数に応じて、前記ホワイトバランス調整手段によるホワイトバランス調整後の他の色信号のクリップレベルを設定するクリップレベル設定手段と、該クリップレベル設定手段で設定されたクリップレベルでホワイトバランス調整後の他の色信号のクリップ処理を行うクリップ手段とを備えていることを特徴とするものである。
【００１９】
このようなクリップレベル設定手段を設けることにより、高輝度領域において発生する偽色レベルを低減することができると共に、クリップ手段でクリップ処理を受ける色信号だけ撮像手段により形成される被写体を撮像する場合においても、該色信号のダイナミックレンジが制限され低彩度の画像信号となるのを有効に阻止することができ、更に色補正手段における色補正係数が変更された場合においても、高輝度領域において発生する偽色レベルを一定範囲に保持することが可能となる。
【００２０】
【発明の実施の形態】
次に、実施の形態について説明する。まず、実施の形態の説明に先立ち、本発明に関連する参照例について説明する。図１は、本発明に係る撮像装置に関連する参照例の要部を示すブロック構成図で、図７に示した従来例と同一の構成部材には同一符号を付して示しており、これらの要部以外の構成は、図７に示した従来例の構成と同一である。図１において、８は画像信号を３原色の色信号Ｒ0 ，Ｇ0 ，Ｂ0 に分離する色分離回路、27は画像信号のホワイトバランスを調整するホワイトバランス調整回路、28は色再現性を改善するための色補正を行う色補正回路で、これらは従来のものと同様の構成のものである。本参照例においては、新たにクリップレベル設定回路31とホワイトクリップ回路32とを備えており、クリップレベル設定回路31は、本参照例においては、Ｇ，Ｂ成分に比べてＲ成分のレベルが高レベルとなる特性をもつＣＣＤあいは光源を想定して、色分離回路８から出力される各画素のＲ0 信号のレベルによって、Ｇ0 ，Ｂ0 信号に対するクリップレベルを設定し、ホワイトクリップ回路32を制御するように構成されており、またホワイトクリップ回路32は、ホワイトバランス調整回路27でホワイトバランス調整が施されたＧW ( Ｇ0 ），ＢW ( Ｂ0 ）信号に対して、クリップレベル設定回路31で設定されたクリップレベルでクリップを行うようになっている。
【００２１】
次に、上記クリップレベル設定動作及びホワイトクリップ回路における処理動作について説明する。クリップレベル設定回路31は上述のように、各画素のＲ0 信号のレベルによって、Ｇ0 ，Ｂ0 信号のクリップレベルを設定し、ホワイトクリップ回路32を制御するものであるが、例えば、図２に示すように、Ｒ0 信号のレベルが所定の基準レベルｒ0 まではダイナミックレンジと同等の高いクリップレベルｋ1 となっており、レベルｒ0 を越えると傾きｍで低下し所定の低クリップレベルｋ0 に落ち付くようなクリップレベルＫを設定するものである。なお、基準レベルｒ0 は、Ｒ0 信号が飽和（Ｒ0 ＝１）する直前のレベルに設定する。基準レベルｒ0 を飽和時点とすると、急激にクリップがかかり、そのスレッシュ付近の画像がまだらになってしまう恐れがあるので、傾きｍをもたせて変化させるようにしている。また、基準レベルｒ0 で切り換えられる低クリップレベルｋ0 は、許容されるべき色づき範囲（偽色許容範囲）によって設定される。
【００２２】
このようにクリップレベル設定回路31で設定されたクリップレベルｋで制御されるホワイトクリップ回路32では、図３に示すような処理が行われる。すなわち、白色被写体による入力信号の場合、色分離回路８からのＲ0 ，Ｇ0 ，Ｂ0 信号がホワイトバランス調整回路27でホワイトバランス調整され、図示のような入出力特性のＲW ，ＧW ，ＢW 信号となり、次いでＧW ，ＢW 信号に対してホワイトクリップ回路32において、クリップレベルＫによりクリップ処理が行われると、ＧW ，ＢW 信号には高輝度領域において低クリップレベルｋ0 によりクリップがかかり、ＧW ′，ＢW ′信号となる。これにより高輝度領域においても色づき（偽色）の少ない信号が得られる。このように白色被写体による入力信号の場合は、図12で示した従来の方式と同様な結果が得られる。
【００２３】
次に、白色被写体ではなく、例えば赤成分の少ないシアン色被写体の場合には、Ｒ0 信号レベルが小さく、所定の基準レベルｒ0 より小さい場合には、クリップレベル設定回路31において設定されるクリップレベルＫは高レベルｋ1 に設定されることになるので、ホワイトクリップ回路32においては、図４に示すように、ＧW ，ＢW 信号に対してはクリップがかからず、したがってシアン入力時にはＧW ，ＢW 信号のダイナミックレンジが低下せず、シアン色が薄くなるような現象が生じることは回避される。なお、図４においてはシアン色の入力時について説明したが、Ｇ又はＢ信号に対しても同様な結果が得られる。
【００２４】
なお、上記参照例においては、基準とする赤信号は色分離回路８から出力されるＲ0 信号を用いたものを示したが、ホワイトバランス調整回路27においてホワイトバランス調整されたＲW 信号を用い、そのレベルによってＧW ，ＢW 信号のクリップレベルを設定するようにしてもよい。また、本参照例においては、赤成分が大きい撮像信号を想定して、Ｒ信号のレベルによってＧ，Ｂ信号に対するクリップレベルを設定するようにしたものを示したが、緑あるいは青成分が大きい撮像信号の場合は、Ｇ又はＢ信号のレベルによって他の色信号に対するクリップレベルを設定するように構成する。
【００２５】
上記参照例のように構成することにより、白色被写体の入力時にはホワイトバランス調整後の高輝度領域の色づき（偽色）を低減することができると共に、シアン色等の入力時には、そのダイナミックレンジを低下させずに入力色を低減させないようにすることが可能となる。しかしながら、上記のような条件のみで設定したクリップレベルを用いた場合には、色再現性を改善する色補正回路28において、マトリクス係数を変更させたとき、例えば赤信号の飽和レベルに変動を来たし、結果として色づきレベル範囲が変わってしまうという問題点がある。次に、この点を改善した本発明に係る第１の実施の形態について説明する。この実施の形態は、色補正回路28において、マトリクス係数に変更が加えられた場合においても、色づきレベル範囲を一定になるように構成するものである。
【００２６】
図５は、第１の実施の形態の主要部を示すブロック構成図である。この実施の形態においては、クリップレベル設定回路31′は、参照例と同様に赤信号Ｒ0 のレベルを用いて緑、青信号のクリップレベルを設定するものであるが、参照例のクリップレベル設定回路31とは異なり、色分離回路８から出力されるＲ0 信号のみならず、ＣＰＵ20からホワイトバランス調整回路27へ入力されるホワイトバランス調整係数Ｗr ，及び同じくＣＰＵ20から色補正回路へ入力されるマトリクス係数αr を用いて、ホワイトバランス調整回路27でホワイトバランス調整されたＧW ( Ｇ0 ），ＢW ( Ｂ0 ）信号に対するクリップレベルを設定するものである。
【００２７】
クリップレベル設定回路31′で設定されるクリップレベルは、基本的には図２に示したものと同様に、Ｒ0 信号の所定レベルｒ0 でクリップレベルを高クリップレベルｋ1 から低クリップレベルｋ0 ′に切り換えるようにしたクリップレベルＫ′を用いるものであるが、次に、低クリップレベルｋ0 ′の設定について説明する。色補正回路28においては、数２で示される（３×３）マトリクス係数が掛け合わされて色補正が行われる。
【００２８】
【数２】
0003943719.tif 000003
【００２９】
ここで、色補正後のＲM 信号は、αr ＋βr ＋γr ＝１とすると、次式（１）で表される。
ＲM ＝αr ・ＲW ＋βr ・ＧW ′＋γr ・ＢW ′  ・・・・・・・・・（１）
ここで、ホワイトバランス調整回路27におけるホワイトバランス調整係数Ｇ／Ｒを、Ｗr ＝ＲW ／Ｒ0 とし、（１）式を代入すると、次式（２）が得られる。
ＲM ＝αr ・Ｗr ・Ｒ0 ＋βr ・ＧW ′＋γr ・ＢW ′  ・・・・・  （２）
ここで、低クリップレベルをｋ0 ′とし、Ｒ0 信号が飽和（Ｒ0 ＝１）となる領域では、次式（３）が成立する。
ＲM ＝αr ・Ｗr ＋βr ・ｋ0 ′＋γr ・ｋ0 ′  ・・・・・・・・・（３）
また、αr ＋βr ＋γr ＝１であるから、（３）式は次式（４）のように表される。
ＲM ＝αr ・Ｗr ＋（１−αr ）・ｋ0 ′  ・・・・・・・・・・・・（４）
また、許容される色づき範囲、すなわち偽色許容レベル範囲Ｃは、次式（５）で表される。
Ｃ＝ｋ0 ′−ＲM   ・・・・・・・・・・（５）
上記（５）式を（４）式へ代入して整理すると、ｋ0 ′に関し次式（６）が得られる。
ｋ0 ′＝Ｗr ＋Ｃ／αr   ・・・・・・・（６）
【００３０】
上記（６）式で示されるように、クリップレベルｋ0 ′を設定することにより、色補正回路のマトリクス係数（この実施の形態においてはαr ）が変更されても、ダイナミックレンジを損なうことなく、許容される色づき範囲（偽色許容レベル範囲）Ｃを一定に保つことができる。
【００３１】
図６は、このようにして設定したクリップレベルでＧW ，ＢW 信号をクリップした場合における入出力特性を示す図で、ホワイトクリップ回路でクリップされたＧW ′，ＢW ′信号は、マトリクス係数を考慮したクリップレベルｋ0 ′でクリップされているため、色補正回路で補正されたＲM 信号の高輝度レベルは変動しない。したがって、マトリクス係数が変更されても、許容される色づき範囲Ｃを一定に保つことができる。
【００３２】
【発明の効果】
以上実施の形態に基づいて説明したように、請求項１に係る発明によれば、高輝度領域において発生する偽色レベルを低減することができると共に、色補正手段における色補正係数が変更された場合においても、高輝度領域において発生する偽色レベルを一定範囲に保持することができ、更にクリップ手段でクリップ処理を受ける色信号だけ撮像手段により形成される被写体を撮像する場合においても、該色信号のダイナミックレンジが制限され低彩度の画像信号となるのを有効に阻止することができるという効果が得られる。
【図面の簡単な説明】
【図１】  本発明に係るカラー撮像装置に関連する参照例の要部を示すブロック構成図である。
【図２】  図１に示した参照例におけるクリップレベル設定回路において設定されるクリップレベルを示す図である。
【図３】  図１に示した参照例において、白色被写体の撮像時における入力信号のクリップ態様を示す図である。
【図４】  図１に示した参照例において、シアン色入力時における入力信号のクリップ態様を示す図である。
【図５】  本発明に係るカラー撮像装置の第１の実施の形態の要部を示すブロック構成図である。
【図６】  図５に示した第１の実施の形態において、白色被写体の撮像時における入力信号のクリップ態様を示す図である。
【図７】  従来の電子カメラの構成例を示すブロック構成図である。
【図８】  図７に示した従来の電子カメラにおいて、白色被写体の撮像時における入射光量と色信号の出力との関係を示す特性図である。
【図９】  図７に示した従来の電子カメラにおいて、白色被写体の撮像時における入射光量とホワイトバランス調整後の色信号の出力との関係を示す特性図である。
【図10】  一般的な電子カメラにおいて、白色被写体の撮像時における入射光量と色補正処理を行った色信号の出力との関係を示す特性図である。
【図11】  図10に示した色補正処理を行った信号に対して更にホワイトバランス調整を施した後の色信号の出力と入射光量との関係を示す特性図である。
【図12】  従来のホワイトバランス調整後における偽色発生の低減手法を説明するための入射光量と色信号の出力との関係を示す特性図である。
【図13】  図12に示した従来の偽色発生の低減手法の問題点を説明するための説明図である。
【図14】  図12に示した従来の偽色発生の低減手法の他の問題点を説明するための説明図である。
【符号の説明】
１  撮影光学系
２  ＣＣＤ
３  ＣＤＳ回路
４  増幅器
５  Ａ／Ｄ変換器
６  画素欠陥補正回路
８  色分離回路
10  色差マトリクス回路
11  加算器
12  Ｙ信号生成器
13  ハイパスフィルタ
14  コアリング部
15  エッジ強調度積算器
16  ＤＲＡＭ
17  圧縮伸長回路
18  記録媒体
19  ＬＣＤ
20  ＣＰＵ
21  操作部
23  タイミングジェネレータ
24  シグナルジェネレータ
25  欠陥補正用ＲＯＭ
26  γ補正回路
27  ホワイトバランス調整回路
28  色補正回路
29  色γ補正回路
31，31′  クリップレベル設定回路
32  ホワイトクリップ回路
【図１】
0003943719.tif 000004
【図２】
0003943719.tif 000005
【図３】
0003943719.tif 000006
【図４】
0003943719.tif 000007
【図５】
0003943719.tif 000008
【図６】
0003943719.tif 000009
【図７】
0003943719.tif 000010
【図８】
0003943719.tif 000011
【図９】
0003943719.tif 000012
【図１０】
0003943719.tif 000013
【図１１】
0003943719.tif 000014
【図１２】
0003943719.tif 000015
【図１３】
0003943719.tif 000016
【図１４】
0003943719.tif 000017